(57)【特許請求の範囲】
【請求項１】
無線ネットワークにおいてサービス期間をスケジューリングする方法であって、
無線ネットワークコントローラによって前記無線ネットワークにおける非擬似静的サービス期間又は既存の擬似静的サービス期間の開始時間を設定する段階を備え、
前記開始時間は、前記サービス期間のスケジューリング情報を含む最後の情報要素を前記無線ネットワークコントローラによって送信した後の最短割当配信期間以降に設定される、方法。
【請求項２】
前記設定する段階は、ソース指向性帯域（ＤＢａｎｄ）ステーション及びデスティネーション指向性帯域（ＤＢａｎｄ）ステーションに割り当てられたサービス期間の前記開始時間を設定する段階を含む、
請求項１に記載の方法。
【請求項３】
前記設定する段階は、ソース指向性帯域（ＤＢａｎｄ）ステーションの既存の擬似静的サービス期間の前記開始時間を変更する段階を有し、指向性帯域は、４５ＧＨｚを超える周波数帯域である請求項１又は２に記載の方法。
【請求項４】
前記設定する段階は、デスティネーション指向性帯域（ＤＢａｎｄ）ステーションの既存の擬似静的サービス期間の前記開始時間を変更する段階を有し、指向性帯域は、４５ＧＨｚを超える周波数帯域である請求項１又は２に記載の方法。
【請求項５】
前記最短割当配信期間は、３００マイクロ秒である
請求項１から４のいずれか１項に記載の方法。
【請求項６】
無線ネットワークにおいてサービス期間をスケジューリングする無線ネットワークコントローラであって、
前記無線ネットワーク内のパーソナルベーシックサービスセット（ＰＢＳＳ）において非擬似静的サービス期間及び既存の擬似静的サービス期間を含むサービス期間の開始時間を設定するメディアアクセス制御（ＭＡＣ）プロセッサを備え、
前記開始時間は、前記サービス期間のスケジューリング情報を含む情報要素を送信した後の最短割当配信期間以降に設定される無線ネットワークコントローラ。
【請求項７】
アンテナアレイに動作可能に結合されており、非擬似静的サービス期間スケジューリング情報を送信する送信機を備える請求項６に記載の無線ネットワークコントローラ。
【請求項８】
前記無線ネットワークコントローラは、ＰＢＳＳ制御ポイント（ＰＣＰ）を備える請求項６又は７に記載の無線ネットワークコントローラ。
【請求項９】
前記無線ネットワークコントローラは、アクセスポイント（ＡＰ）を備える請求項６又は７に記載の無線ネットワークコントローラ。
【請求項１０】
前記ＭＡＣプロセッサは、既存の擬似静的サービス期間の前記開始時間を変更可能であり、ＰＣＰでないステーションをソース指向性帯域（ＤＢａｎｄ）ステーションとして有しており、
前記指向性帯域は、４５ＧＨｚを超える周波数帯域である請求項８に記載の無線ネットワークコントローラ。
【請求項１１】
前記ＭＡＣプロセッサは、既存の擬似静的サービス期間の前記開始時間を変更可能であり、デスティネーション指向性帯域（ＤＢａｎｄ）ステーションとしてＰＣＰでないステーションを有しており、前記指向性帯域は、４５ＧＨｚを超える周波数帯域である請求項８に記載の無線ネットワークコントローラ。
【請求項１２】
前記最短割当配信期間は、３００マイクロ秒である請求項６から１１のいずれか１項に記載の無線ネットワークコントローラ。
【請求項１３】
前記アンテナアレイは、フェーズアレイアンテナである請求項７に記載の無線ネットワークコントローラ。
【請求項１４】
サービス期間をスケジューリングするパーソナルベーシックサービスセット（ＰＢＳＳ）制御ポイント（ＰＣＰ）を備え、
前記ＰＣＰは、
パーソナルベーシックサービスセット（ＰＢＳＳ）におけるサービス期間の開始時間を設定するメディアアクセス制御（ＭＡＣ）プロセッサを
有し、
前記サービス期間は、非擬似静的サービス期間及び既存の擬似静的サービス期間を含み、
前記開始時間は、前記サービス期間のスケジューリング情報を含む情報要素を送信した後の最短割当配信期間以降に設定される、
無線通信システム。
【請求項１５】
前記ＰＣＰは、アンテナアレイに動作可能に結合され、非擬似静的サービス期間スケジューリング情報を送信可能な送信機を有する請求項１４に記載の無線通信システム。
【請求項１６】
前記ＰＣＰの前記ＭＡＣプロセッサは、既存の擬似静的サービス期間の前記開始時間を変更可能であり、ソース指向性帯域（ＤＢａｎｄ）ステーションとしてＰＣＰでないステーションを含み、
前記指向性帯域は、４５ＧＨｚを超える周波数帯域である請求項１４に記載の無線通信システム。
【請求項１７】
前記ＰＣＰの前記ＭＡＣプロセッサは、既存の擬似静的サービス期間の前記開始時間を変更可能であり、デスティネーション指向性帯域（ＤＢａｎｄ）ステーションとしてＰＣＰでないステーションを含み、
前記指向性帯域は、４５ＧＨｚを超える周波数帯域である請求項１４に記載の無線通信システム。
【請求項１８】
前記最短割当配信期間は、３００マイクロ秒である請求項１４から１７のいずれか１項に記載の無線通信システム。
【請求項１９】
命令を格納しているコンピュータ可読格納媒体を備え、前記命令が実行されると、
無線ネットワークコントローラによって無線ネットワークにおいて非擬似静的サービス期間及び既存の擬似静的サービス期間を含むサービス期間の開始時間を設定し、
前記開始時間は、前記サービス期間のスケジューリング情報を含む情報要素を前記無線ネットワークコントローラが送信した後の最短割当配信期間以降に設定される、メディアアクセス制御（ＭＡＣ）プロセッサ。
【請求項２０】
前記命令が実行されると、非擬似静的サービス期間スケジューリング情報を送信する請求項１９に記載のＭＡＣプロセッサ。
【請求項２１】
前記命令が実行されると、ソース指向性帯域（ＤＢａｎｄ）ステーションの既存の擬似静的サービス期間の前記開始時間を変更し、指向性帯域は、４５ＧＨｚを超える周波数帯域である請求項１９に記載のＭＡＣプロセッサ。
【請求項２２】
前記命令が実行されると、デスティネーション指向性帯域（ＤＢａｎｄ）ステーションの既存の擬似静的サービス期間の前記開始時間を変更し、
指向性帯域は、４５ＧＨｚを超える周波数帯域である請求項１９に記載のＭＡＣプロセッサ。
【発明の詳細な説明】
【背景技術】
【０００１】
パーソナルワイヤレスエリアネットワーク（ＷＰＡＮ）は、１人の人物の近くにある複数のコンピューティングデバイス（例えば、電話および携帯情報端末（ＰＤＡ）等の個人向けデバイス）間の通信に用いられるネットワークである。ＷＰＡＮの到達範囲は、数メートルであるとしてよい。ＷＰＡＮは、個人向けデバイス間での複数の人間同士が通信を行うべく、または、インターネット等の高位ネットワークへアップリンクを介して接続を構築するべく用いられるとしてよい。
【０００２】
ミリ波ＷＰＡＮおよび／またはミリ波ネットワークは、高速インターネットアクセス、ストリーミングコンテンツダウンロード（例えば、オンデマンド動画、高精細テレビ（ＨＤＴＶ）、ホームシアター等）、ケーブル交換、無線ディスプレイ、シンクアンドゴー等のためのリアルタイムストリーミングおよび無線データバス等、非常に高いデータレート（例えば、２ギガビット毎秒（Ｇｂｐｓ）以上）を可能とし得る。
【０００３】
一部のミリ波ＷＰＡＮは、パーソナルベーシックサービスセット（ＰＢＳＳ）を含むとしてよい。ＰＢＳＳは、複数のステーション（ＳＴＡ）を含むとしてよい。ＳＴＡは、マルチ帯域ＳＴＡであってよく、および／または、６０ＧＨｚＳＴＡであってよい。ミリ波ＷＰＡＮはさらに、ＳＴＡのうち１つを、ＰＢＳＳ制御ポイント（ＰＣＰ）として動作させることができるとしてよい。ＰＢＳＳによって、複数のステーションは、２つのステーション間の直接リンクを用いて、直接協働することができるようになる。ＰＣＰは、直接通信するステーションについて、サービス期間（ＳＰ）を割り当て、スケジューリングすることができる。
【図面の簡単な説明】
【０００４】
発明とみなす主題は、本明細書の結論部分において、具体的に記載すると共に、明確に請求する。しかし、本発明の処理の構成および方法、ならびに、目的、特徴および利点は、添付図面と共に以下に記載する詳細な説明を読むことで、最も理解が深まるものである。添付図面は以下の通りである。
【図１】本発明の実施形態例に係る無線通信ネットワークを示す概略図である。
【図２】本発明の実施形態例に係る時間関係を示す概略図である。
【図３】本発明の実施形態例に係る無線通信ネットワークのステーションを示す概略図である。
【図４】本発明の実施形態例に係るサービス期間のスケジューリング方法を示すフローチャートである。説明を簡潔に分かりやすくするべく、図示している構成要素は必ずしも実寸に即したものではないと考えられたい。例えば、一部の構成要素の寸法は、分かりやすいように、他の構成要素の寸法に比べて強調している場合がある。また、適切であると考えられる場合には、対応するまたは同様の構成要素については、同じ参照番号を複数の図面にわたって用いるとしてよい。
【発明を実施するための形態】
【０００５】
以下に記載する詳細な説明では、本発明の内容を完全に理解していただくべく、具体的且つ詳細な内容を数多く記載している。しかし、当業者であれば本発明は以下に記載する具体的且つ詳細な内容を採用することなく実施され得るものと理解されたい。また、公知の方法、手順、構成要素および回路は、本発明をあいまいにすることを避けるべく、詳細な説明を省略している。
【０００６】
以下に記載する詳細な説明の一部は、コンピュータメモリ内でデータビットまたはバイナリデジタル信号に対して行われる処理のアルゴリズムおよび抽象的な表現を説明している。このようなアルゴリズムによる説明および表現は、データ処理分野の当業者間で研究内容を伝えるために用いられる手法であるとしてよい。
【０００７】
特に明記されていない限り、以下の説明から明らかであるが、本明細書全体にわたって、「処理」、「算出」、「計算」、「決定」等の用語を用いた説明は、コンピューティングシステムのレジスタおよび／またはメモリ内の電子量等の物理量として表現されるデータを操作および／または変換して、コンピューティングシステムのメモリ、レジスタまたは他の同様の情報格納部、または送信デバイスで同様に物理量として表現される他のデータを生成するコンピュータあるいはコンピューティングシステム、または、同様の電子コンピューティングデバイスの動作および／またはプロセスを意味するものと考えられる。「ａ」または「ａｎ」といった用語は、本明細書で用いられる場合、「１」または「２以上」を意味するものと定義される。「複数」という用語は、本明細書で用いられる場合、「２」または「３以上」を意味するものと定義される。「別の」という用語は、本明細書で用いられる場合、少なくとも「第２」またはそれより高位の序数を意味するとして定義される。「含む」および／または「有する」といった用語は、本明細書で用いられる場合、これに限定されないが、「備える」ことを意味するものとして定義される。「結合」という用語は、本明細書で用いられる場合、任意の所望の形態、例えば、ソフトウェア、ハードウェア等によって、機械的に、電子的に、デジタル的に、直接、動作可能に接続されることを意味すると定義される。
【０００８】
「ＰＢＳＳ制御ポイント（ＰＣＰ）」という用語は、本明細書で用いられる場合、ミリ波ネットワークの制御ポイントとして動作するステーション（ＳＴＡ）を意味するものと定義される。
【０００９】
アクセスポイント（ＡＰ）という用語は、本明細書で用いられる場合、ステーション（ＳＴＡ）としての機能を持ち、対応付けられているＳＴＡに対して無線媒体（ＷＭ）を介して配信サービスへのアクセスを提供する任意のエンティティを意味するものと定義されている。
【００１０】
「無線ネットワークコントローラ」という用語は、本明細書で用いられる場合、無線ネットワークのＰＣＰおよび／またはＡＰとして動作するステーションを意味するものと定義されている。
【００１１】
「指向性帯域（ＤＢａｎｄ）」という用語は、本明細書で用いられる場合、チャネル開始周波数が４５ＧＨｚを超える任意の周波数帯域を意味するものと定義されている。
【００１２】
「ＤＢａｎｄ  ＳＴＡ」という用語は、本明細書で用いられる場合、無線送信器がＤＢａｎｄ内にあるチャネルで動作するＳＴＡとして定義されている。
【００１３】
「パーソナルベーシックサービスセット（ＰＢＳＳ）」という用語は、本明細書で用いられる場合、アドホック自己包含型ネットワークを形成し、ＤＢａｎｄで動作し、１つのＰＢＳＳ制御ポイント（ＰＣＰ）を含み、且つ、配信システム（ＤＳ）へのアクセスは内部に存在しないがＰＢＳＳ内転送サービスが任意で存在するベーシックサービスセット（ＢＳＳ）を意味するものとして定義されている。
【００１４】
「スケジューリングされたサービス期間（ＳＰ）」という用語は、本明細書で用いられる場合、サービス品質（ＱｏＳ）ＡＰまたはＰＣＰによってスケジューリングされたことを意味する。スケジューリングされたＳＰは、所望される場合、所定間隔で開始するとしてよい。
【００１５】
「トラフィック」および／または「トラフィックストリーム」という用語は、本明細書で用いられる場合、ステーション（ＳＴＡ）等の無線デバイス間でのデータフローおよび／またはデータストリームを意味するものとして定義されている。「セッション」という用語は、本明細書で用いられる場合、直接物理リンクが構築されている（例えば、転送を行わない）一対のステーションに維持または格納されているステート情報を意味するものとして定義されている。尚、当該ステート情報は、セッションを説明または定義しているとしてよい。
【００１６】
「無線デバイス」という用語は、本明細書で用いる場合、例えば、無線通信を実行可能なデバイス、無線通信を実行可能な通信デバイス、無線通信を実行可能な通信局、無線通信を実行可能な携帯可能デバイスまたは固定デバイス等を含む。一部の実施形態によると、無線デバイスは、コンピュータと一体化している周辺デバイスまたはコンピュータに取り付けられている周辺デバイスであってもよいし、そのような周辺デバイスを含むとしてもよい。一部の実施形態によると、「無線デバイス」という用語は任意で、無線サービスを含むとしてよい。
【００１７】
本発明の実施形態は、ミリ波ネットワークにおいてサービス期間をスケジューリングするデバイス、システムおよび方法を提供するとしてよい。例えば、ミリ波ネットワークのＰＣＰは、サービス期間の開始時間を設定することができる。尚、開始時間は、ＰＣＰがサービス期間スケジューリング情報を含む情報要素を送信した後の所定時間以降であるか、または、所定時間以降に開始される。しかし、本発明の範囲はこのような例に限定されない。
【００１８】
本発明はさまざまな用途で利用され得ると理解されたい。本発明はこれに限定されないが、本明細書に開示されている回路および技術は、無線システムのステーション等、多くの装置において利用され得る。本発明の範囲に含まれるべきステーションは、例に過ぎないが、ＷＬＡＮステーション、ＷＰＡＮステーション等がある。
【００１９】
本発明の範囲に含まれるべきＷＰＡＮステーションの種類には、これらに限定されないが、マルチ帯域ステーションとして動作可能なステーション、ＰＣＰとして動作可能なステーション、ＡＰとして動作可能なステーション、ＤＢａｎｄステーションとして動作可能なステーション、移動局、アクセスポイント、例えば、周波数ホッピングスペクトル拡散（ＦＨＳＳ）、直接シーケンススペクトル拡散（ＤＳＳＳ）、相補型符号変調（ＣＣＫ）、直交周波数分割多重化（ＯＦＤＭ）等の拡散スペクトル信号を送受信するステーションがある。
【００２０】
一部の実施形態は、さまざまなデバイスおよびシステムと組み合わせて用いられるとしてよい。例えば、ビデオデバイス、オーディオデバイス、オーディオ−ビデオ（Ａ／Ｖ）デバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、ブロードキャストＨＤ受信機、ビデオソース、オーディオソース、ビデオシンク、オーディオシンク、ステレオチューナ、ブロードキャスト無線受信機、ディスプレイ、フラットパネルディスプレイ、パーソナルメディアプレーヤ（ＰＭＰ）、デジタルビデオカメラ（ＤＶＣ）、デジタルオーディオプレーヤ、スピーカ、オーディオ受信機、オーディオ増幅器、データソース、データシンク、デジタルスチールカメラ（ＤＳＣ）、パーソナルコンピュータ（ＰＣ）、デスクトップコンピュータ、モバイルコンピュータ、ラップトップコンピュータ、ノート型コンピュータ、タブレットコンピュータ、サーバコンピュータ、手持ちコンピュータ、手持ちデバイス、携帯情報端末（ＰＤＡ）デバイス、手持ちＰＤＡデバイス、オンボードデバイス、オフボードデバイス、ハイブリッドデバイス、車両デバイス、非車両デバイス、可動型または携帯可能なデバイス、消費者向けデバイス、固定型または携帯不可能なデバイス、無線通信ステーション、無線通信デバイス、無線ＡＰ、有線ルータまたは無線ルータ、有線モデムまたは無線モデム、有線ネットワークまたは無線ネットワーク、ワイヤレスエリアネットワーク、ワイヤレスビデオエリアネットワーク（ＷＶＡＮ）、ローカルエリアネットワーク（ＬＡＮ）、ＷＬＡＮ、ＰＡＮ、ＷＰＡＮ、既存のＷｉｒｅｌｅｓｓＨＤ（登録商標）仕様および／またはワイヤレス−ギガビット−アライアンス（ＷＧＡ）仕様、および／または、当該仕様の今後開発されるバージョンおよび／または派生物に応じて動作するデバイスおよび／またはネットワーク、既存のＩＥＥＥ８０２．１１（ＩＥＥＥ８０２．１１−１９９９２００７：ワイヤレスＬＡＮ  媒体アクセス制御（ＭＡＣ）および物理層（ＰＨＹ）の仕様）規格およびその修正版（「ＩＥＥＥ８０２．１１規格」）、ＩＥＥＥ８０２．１６規格、および／または、当該規格の今後開発されるバージョンおよび／または派生物に応じて動作するデバイスおよび／またはネットワーク、上述したネットワークの一部を構成するユニットおよび／またはデバイス、一方向および／または双方向型の無線通信システム、セルラー方式無線電話通信システム、ワイヤレスディスプレイ（ＷｉＤｉ）デバイス、セルラー方式電話、無線電話、パーソナルコミュニケーションシステム（ＰＣＳ）デバイス、無線通信デバイスが組み込まれたＰＤＡデバイス、可動型または携帯可能なグローバルポジショニングシステム（ＧＰＳ）デバイス、ＧＰＳ受信機またはＧＰＳ送受信機またはＧＰＳチップが組み込まれたデバイス、ＲＦＩＤ素子またはＲＦＩＤチップが組み込まれたデバイス、多入力多出力（ＭＩＭＯ）送受信機またはＭＩＭＯデバイス、単入力多出力（ＳＩＭＯ）送受信機またはＳＩＭＯデバイス、多入��単出力（ＭＩＳＯ）送受信機またはＭＩＳＯデバイス、１以上の内部アンテナおよびまたは外部アンテナを有するデバイス、デジタルビデオブロードキャスト（ＤＶＢ）デバイスまたはＤＶＢシステム、マルチ規格無線デバイスまたはマルチ規格システム、有線または無線方式の手持ちデバイス（例えば、ＢｌａｃｋＢｅｒｒｙ、Ｐａｌｍ  Ｔｒｅｏ）、ワイヤレスアプリケーションプロトコル（ＷＡＰ）デバイス等と共に用いられるとしてよい。
【００２１】
一部の実施形態は、１以上の種類の無線通信信号および／または無線通信システムと組み合わせて利用され得る。例えば、無線周波数（ＲＦ）、赤外線（ＩＲ）、周波数分割多重化（ＦＤＭ）、直交ＦＤＭ（ＯＦＤＭ）、時分割多重化（ＴＤＭ）、時分割多重アクセス（ＴＤＭＡ）、拡張型ＴＤＭＡ（Ｅ−ＴＤＭＡ）、ジェネラル・パケット・ラジオ・サービス（ＧＰＲＳ）、拡張型ＧＰＲＳ、符号分割多重アクセス（ＣＤＭＡ）、ワイドバンドＣＤＭＡ（ＷＣＤＭＡ）、ＣＤＭＡ２０００、シングルキャリアＣＤＭＡ、マルチキャリアＣＤＭＡ、マルチキャリア変調（ＭＤＭ）、ディスクリートマルチトーン（ＤＭＴ）、Ｂｌｕｅｔｏｏｔｈ（登録商標）、グローバルポジショニングシステム（ＧＰＳ）、Ｗｉ−Ｆｉ、ＷｉＭＡＸ、ＺｉｇＢｅｅ（登録商標）、超広帯域（ＵＷＢ）、グローバル・システム・フォー・モバイル・コミュニケーション（ＧＳＭ：登録商標）、２Ｇ、２．５Ｇ、３Ｇ、３．５Ｇ、エンハンスド・データ・レート・フォー・ＧＳＭ（登録商標）エボリューション（ＥＤＧＥ）等と組み合わせて利用され得る。さまざまな他のデバイス、システムおよび／またはネットワークにおいて他の実施形態が用いられるとしてよい。
【００２２】
一部の実施形態は、適切な限定範囲、または、近距離の無線通信ネットワーク、例えば、「ピコネット」、ワイヤレスエリアネットワーク、ＷＶＡＮ、ＷＰＡＮ等と共に利用され得る。
【００２３】
図１は、本発明の実施形態例に係る無線通信ネットワーク１００を示す概略図である。例えば、無線通信ネットワーク１００は、ＩＥＥＥ８０２の８０２．１１タスクグループａｄ（ＴＧａｄ）が開発した規格に応じて、および／または、ＷＧＡ仕様に応じて、および／または、ＩＥＥＥ８０２．１５．３ｃ規格に応じて、および／または、ＷｉｒｅｌｅｓｓＨＤ（登録商標）仕様に応じて、および／または、ＥＣＭＡ−３８７規格等に応じて、動作するとしてよい。
【００２４】
本発明の範囲はこれに限定されないが、無線通信ネットワーク１００は、ステーション１１０と、無線ネットワークコントローラ１２０と、ステーション１３０とを備えるとしてよい。この実施形態例によると、ステーション１１０は、ソースＤＢａｎｄステーションとして動作可能であるとしてよく、ステーション１３０は、デスティネーションＤＢａｎｄステーションとして動作可能であるとしてよい。しかし、本発明の範囲はこれに限定されない。備える無線機器の数は上記以外であってもよい。
【００２５】
動作について説明すると、無線ネットワークコントローラ１２０は、所望される場合には、ＰＣＰおよび／またはＡＰであってよい。無線ネットワークコントローラ１２０は、ソースＤＢａｎｄステーション１１０およびデスティネーションＤＢａｎｄステーション１３０のサービス期間（ＳＰ）をスケジューリングするとしてよい。例えば、スケジューリングされたＳＰは、所望される場合には、擬似静的ＳＰおよび非擬似静的ＳＰであってよい。擬似静的ＳＰは、位置および期間が、変更されることなく、且つ、ステーションからの介入が行われることなく、何度も（回数無制限）繰り返されるＳＰであってよい。しかし、本発明の範囲はこれに限定されない。
【００２６】
この実施形態例によると、非擬似静的ＳＰをスケジューリングする場合、または、ＳＰのソースＤＢａｎｄ  ＳＴＡ（例えば、ＳＴＡ１１０）として、または、デスティネーションＤＢａｎｄ  ＳＴＡ（例えば、ＳＴＡ１３０）１３０として、ＰＣＰでない／ＡＰでないＳＴＡを持つ既存の擬似静的ＳＰの開始時間を変更する場合、無線ネットワークコントローラ１２０は、ＳＰの開始時間を、このＳＰを含む最終スケジューリング情報要素が無線ネットワークコントローラ１２０、例えば、ＰＣＰまたはＡＰによって送信されてから所定時間以降になるように、または、所定時間以降に開始されるように設定するとしてよい。しかし、本発明の範囲はこれに限定されない。
【００２７】
図２は、本発明の実施形態例に係る時間関係を示す概略図である。時間関係２００は、発表期間２１０およびデータ送信期間２４０を含むとしてよい。この実施形態例によると、発表期間２１０において、例えばＰＣＰ／ＡＰである無線ネットワークコントローラ１２０は、ステーション１１０および／または１３０のうち１つに対するデータ配信をスケジューリングするとしてよい。配信のスケジューリングから、ステーションに割り当てられたＳＰ２５０の開始時間までの所定時間２３０を設定するとしてよい。
【００２８】
例えば、所定時間２３０は、最短割り当て配信期間と定義されるとしてよく、所望される場合には、３００μ秒に設定されるとしてよい。他の長さを用いるとしてもよい。ソースＤＢａｎｄ  ＳＴＡ１１０および／またはデスティネーションＤＢａｎｄ  ＳＴＡ１３０は、所望される場合には、情報要素の構造解析を行うために最短割り当て配信期間を利用するとしてよい。
【００２９】
この情報要素の構造解析は、時間が重要であるので、送信されたフレームにおいて情報要素の位置を予測可能であることが非常に望ましい。本発明の一実施形態例によると、情報要素は、以下の表１に示すように、例えば発表フレーム等のフレームの先頭情報要素に配置されるとしてよい。
【表１】
0005528483.tif 000002
【００３０】
本例によると、「カテゴリー」フィールドは、ＤＢａｎｄのカテゴリーが設定されるとしてよい。「処理」フィールドは、「発表」に対応する値に設定されるとしてよい。「拡張スケジュール要素」は、各割り当て期間の情報を提供するとしてよい。例えば、割り当て毎に、「拡張スケジュール要素」は、ビームフォーミング制御、ソースステーションおよびデスティネーションステーションの識別（ＩＤ）情報、ブロック数、開始時間等を提供するとしてよい。発表フレームが含む情報要素の数は任意であってよいが、本発明の範囲はこれに限定されない。
【００３１】
まず図３を参照すると、本発明の実施形態例に係る無線通信ネットワークのステーション（ＳＴＡ）を示す概略図である。本発明の実施形態によると、ステーション３００は、例えば、アクセスポイント、ピコネットコントローラ（ＰＮＣ）、ステーション、マルチ帯域ステーション、ＤＢａｎｄステーション、開始部、応答部等として動作可能な無線通信デバイスであってよい。
【００３２】
本発明の一部の実施形態例によると、ステーション３００は、例えば、無線機器１１０を有するとしてよい。無線機器１１０は、２以上のアンテナに動作可能に結合されているとしてよい。例えば、無線機器１１０は、アンテナ３６０および３６２に動作可能に結合されているとしてよい。無線機器１１０は、少なくとも、受信機（ＲＸ）３１２、送信器（ＴＸ）３１４、および、ビームフォーミング（ＢＦ）コントローラ３１６を含むとしてよいが、本発明の範囲はこれに限定されない。
【００３３】
また、本発明の一部の実施形態によると、無線機器３１０は、ＤＢａｎｄ、例えば、６０ＧＨｚ周波数帯域で動作するとしてよい。ステーション３００はさらに、ＭＡＣプロセッサ３４０およびメモリ３５０を有するとしてよい。ＭＡＣプロセッサ３４０は、所望される場合は、ＩＥＥＥ８０２．１１  ＴＡＧａｄおよび／またはＩＥＥＥ８０２．１５．３ｃおよび／またはＷｉｒｅｌｅｓｓＨＤ（登録商標）および／またはＥＣＭＡ−３８７および／またはＩＳＯ／ＩＥＣ１３１５６：２００９および／またはＢｌｕｅｔｏｏｔｈ（登録商標）および／またはＷＧＡ仕様にしたがってＭＡＣプロトコルを動作させるとしてよい。
【００３４】
メモリ３５０は、揮発性メモリ、不揮発性メモリ、取り外し可能または取り外し不可能なメモリ、消去可能または消去不可能なメモリ、書き込み可能または書き換え可能メモリ等のうち１以上を含むとしてよい。例えば、メモリ３５０は、１以上のランダムアクセスメモリ（ＲＡＭ）、ダイナミックＲＡＭ（ＤＲＡＭ）、ダブルデータレートＤＲＡＭ（ＤＤＲ−ＤＲＡＭ）、シンクロナスＤＲＡＭ（ＳＤＲＡＭ）、スタティックＲＡＭ（ＳＲＡＭ）、リードオンリーメモリ（ＲＯＭ）、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、コンパクトディスクＲＯＭ（ＣＤ−ＲＯＭ）、コンパクトディスクリコーダブル（ＣＤ−Ｒ）、コンパクトディスクリライタブル（ＣＤ−ＲＷ）、フラッシュメモリ（例えば、ＮＯＲまたはＮＡＮＤ型のフラッシュメモリ）、連想記憶装置（ＣＡＭ）、ポリマーメモリ、相変化メモリ、強誘電体メモリ、シリコン−酸化物−窒化物−酸化物−シリコン（ＳＯＮＯＳ）メモリ、ディスク、フロッピー（登録商標）ディスク、ハードドライブ、光ディスク、磁気ディスク、カード、磁気カード、光カード、テープ、カセット等を含むとしてよい。
【００３５】
一部の実施形態例によると、アンテナ３６０および３６２は、例えば、フェーズアレイアンテナ、内部ＲＦアンテナおよび／または外部ＲＦアンテナ、ダイポールアンテナ、モノポールアンテナ、全方向性アンテナ、エンドフェッドアンテナ、円偏光アンテナ、マイクロストリップアンテナ、ダイバーシチアンテナ、または、無線通信信号、ブロック、フレーム、送信ストリーム、パケット、メッセージおよび／またはデータを送受信するのに適したその他の種類のアンテナを含むとしてよい。しかし、本発明の範囲はこれらの例に限定されない。
【００３６】
本発明の一部の実施形態例によると、ＢＦコントローラ３１６は、所望される場合は、多入力多出力（ＭＩＭＯ）コントローラおよび／またはビームフォーム用プロセッサを含むとしてよい。
【００３７】
本発明の実施形態によると、ステーション３００は、無線ネットワーク（例えば、ＰＢＳＳ１００）においてサービス期間（ＳＰ）をスケジューリングまたは設定する無線ネットワークコントローラとして動作するとしてよい。ＭＡＣプロセッサ３４０は、ＰＢＳＳ１００のＳＰの開始時間をスケジューリングまたは設定するとしてよい。例えば、開始時間は、サービス期間スケジューリング情報を含むまたは当該情報である情報要素を送信した後の所定時間以降、または、所定時間以降に開始されるとしてよい。ＭＡＣプロセッサ３４０は、所望される場合には、ＰＣＰでないステーションを、ＳＰのソースＤＢａｎｄステーション（例えば、ソースＤＢａｎｄ  ＳＴＡ１１０）および／またはデスティネーションＤＢａｎｄステーション（例えば、デスティネーションＤＢａｎｄ  ＳＴＡ１３０）として持つ既存の擬似静的ＳＰの開始時間を変更可能であるとしてよい。
【００３８】
本発明の一実施形態例によると、送信器３１２は、非擬似静的サービス期間スケジューリング情報を送信可能なアンテナアレイ、例えば、アンテナ３６０、３６２に動作可能に結合されているとしてよい。
【００３９】
図４は、本発明の実施形態例に係るサービス期間をスケジューリングする方法を示すフローチャートである。例えば、当該方法は、所望される場合には、ＭＡＣプロセッサ２４０等のＭＡＣプロセッサによって、メモリ２５０に格納されている命令に基づき、実行されるとしてよい。
【００４０】
無線ネットワークにおいてＳＰをスケジューリングする方法は、無線ネットワークコントローラ（例えば、ＰＣＰまたはＡＰ）によって無線ネットワーク（例えば、ネットワーク１００）においてＳＰの開始時間を設定するとしてよい。当該開始時間は、無線ネットワークコントローラがサービス期間スケジューリング情報を含む情報要素を送信した後の所定時間以降、または、所定時間以降に開始される。
【００４１】
当該スケジューリング方法は、スケジューリングされた期間が擬似静的ＳＰでない場合（ひし形４１０）、且つ、スケジューリングされた擬似静的ＳＰパラメータのうち少なくとも１つが変化している場合（ひし形４２０）に開始されるとしてよく、当該方法は、ソースＤＢａｎｄステーションとしてＰＣＰでないステーションを持つ既存の擬似静的ＳＰの開始時間を変更することによって、および／または、サービス期間のデスティネーションＤＢａｎｄステーションとしてＰＣＰでないステーションを持つ既存の擬似静的ＳＰの開始時間を変更することによって、継続して実行されるとしてよい（テキストボックス４３０）。当該方法は、所望される場合、ステーション（例えば、ＳＴＡ１１０および／または１２０）のうち少なくとも１つに静的ＳＰスケジューリング情報を送信することで（テキストボックス４４０）終了するとしてよい。
【００４２】
本発明の実施形態によると、ＤＢａｎｄは、４５ＧＨｚを超える任意の周波数帯域であってよく、所定時間は３００μ秒であってよい。しかし、本発明の範囲はこの例に限定されない。
【００４３】
本発明の実施形態は、コンピュータまたはプロセッサの恒久的可読媒体、または、コンピュータまたはプロセッサの恒久的格納媒体等の物品、例えば、メモリ、ディスクドライブ、または、ＵＳＢフラッシュメモリであり、例えば、コンピュータ実行可能命令であり、プロセッサまたはコントローラで実行されると本明細書に記載する方法を実行する命令の符号化、包含または格納を行うものを含むとしてよい。
【００４４】
本発明をどのように実現するかを具体的な実施形態に関連付けて説明してきた。実施形態は、本発明を例示することを意図しており、限定するものではない。多くの点で変更、変形、追加、および改善することが可能である。したがって、本明細書において単数として説明した構成要素を複数設けるとしてもよい。さまざまな構成要素、処理およびデータストアの境界は、ある程度まで抽象的であり、特定の処理については特有の構成例に関連付けて図示している。機能の割り当てについては、他の方法も考慮され、特許請求の範囲に含まれるとしてよい。最後に、さまざまな構成において別個の構成要素として説明した複数の構造および機能は、一の合成構造または合成構成要素として実現するとしてよい。上記およびその他の点で変更、変形、追加、および改善を行っても、請求項で定義する本発明の範囲に含まれるものとしてよい。
【図１】
0005528483.tif 000003
【図２】
0005528483.tif 000004
【図３】
0005528483.tif 000005
【図４】
0005528483.tif 000006